(57)【要約】【課題】同一チャンネルで複数の放送局と高品質放送と低品質放送が混在して受信できる状況下において、そのときの受信状況に応じて視聴中の番組と同一放送局の番組を受信するよう切り替えるデジタル放送受信装置を提供すること。【解決手段】放送波の受信状況の良否を示す受信レベルを判定し、受信レベルが良好な状態であれば、受信した放送波に含まれる放送局情報を取得する。そして、当該放送波を送信した放送局と直前に再生していた番組の放送局とが同一であるか否かを判定する。そして、放送局が同一であるときは、低品質放送から高品質放送へと切り替える。【選択図】図５
2007243695.tif 000002
【特許請求の範囲】
【請求項１】
１チャンネルの周波数帯域を分割してなる複数のセグメントのうち特定の数のセグメントに含まれ、同じ変調方式で伝送されてくる第１の放送波と、前記複数のセグメントのうち１つのセグメントに含まれ、前記第１の放送波と異なる変調方式で伝送されてくる第２の放送波とを受信可能なデジタル放送受信装置であって、
前記第１の放送波を復調して番組を再生する第１の再生モードと前記第２の放送波を復調して番組を再生する第２の再生モードとの間で再生モードを切り替える切替部と、
前記放送波の受信状況の良否を示す受信レベルを判定する受信レベル判定部と、
受信した放送波に含まれる放送局情報を取得し、当該放送波を送信した放送局と直前に再生していた番組の放送局とが同一であるか否かを判定する放送局判定部とを備え、
前記切替部は、前記放送局が同一であるときは、前記受信レベルに応じて再生モードを切り替える、受信装置。
【請求項２】
前記受信レベル判定部は、前記第２の再生モードで番組が再生が可能なときに受信レベルを判定し、
前記切替部は、前記放送局判定部が放送局が同一であると判定したとき、前記受信レベルが所定値以上であり、且つ、直前に受信していた放送波の再生モードが前記第２の再生モードであるときにのみ、再生モードを前記第１の再生モードに切り替える、請求項１に記載のデジタル放送受信装置。
【請求項３】
前記放送局情報は、トランスポートストリームに含まれるトランスポートストリームＩＤである、請求項１に記載のデジタル放送受信装置。
【請求項４】
受信可能な放送局のそれぞれについて、前記第１の放送波の番組と前記第２の放送波の番組とが再生可能か否かの情報を有するチャンネルリストと、
前記第２の放送波しか再生できない状態から、同一放送局の前記第１の放送波の再生も可能になったときに、前記チャンネルリストを更新する更新部とをさらに備える、請求項１に記載のデジタル放送受信装置。
【請求項５】
前記チャンネルリストが更新された際に、前記第１の放送波の再生が可能になった旨を利用者に通知する通知部を更に備える、請求項４に記載のデジタル放送受信装置。
【発明の詳細な説明】
【技術分野】
【０００１】
本発明は、デジタル放送の受信装置に関し、より特定的には、高品質放送と低品質放送が混在する環境における受信装置に関する。
【背景技術】
【０００２】
日本国内では、地上波テレビ放送のデジタル化が進められており、２０１１年には全国で地上デジタル放送が実施され、アナログ波を停波する予定となっている。
【０００３】
地上デジタル放送では、従来の地上波アナログ放送に比べて、移動受信や携帯受信を行う番組受信端末向けの放送でも安定した映像を提供することができる。それに伴い、車載用や携帯用の地上デジタル放送受信機を用いて、移動先で番組を視聴するケースが考えられる。
【０００４】
地上デジタル放送では、テレビ１チャンネル分の帯域幅６ＭＨｚを１４のセグメントに分け、このうち１３のセグメントを使って放送する。この１３のセグメントのうち、中央のセグメントだけは特別な扱いができるようになっており、１３セグメントで放送していても、当該１セグメントだけを受信することが可能になっている。この中央の１セグメントを使うサービスが１セグメント放送（以下、１セグ放送）である。そして、地上デジタル放送では、中央のセグメント以外の１２セグメントを使って、１セグ放送よりも高品質な放送であるハイビジョン放送（以下、ＨＤＴＶ）を１番組を放送し、中央の１セグメントを使って１セグ放送を行う。なお、現在のところ、１セグ放送は、「補完放送」という位置付けであり、放送される内容は、ＨＤＴＶの番組と同じものであるが、ＨＤＴＶよりは低品質な放送となっている。
【０００５】
また、地上デジタル放送では、複数の伝送パラメータ（変調方式等、伝送路符号化を規定するパラメータの総称）をもつ信号を同時に伝送できる。そのため、ＨＤＴＶを実施している階層と１セグ放送を実施している階層とで、異なる伝送パラメータを割り当てることができる。具体的には、高品質な放送であるＨＤＴＶの階層では、よりたくさんの情報を送ることができるパラメータを使用する。その結果、情報量が多くなるため、正常受信できる範囲が１セグ放送に比べて狭くなり、電波の弱いときは受信しにくくなる場合がある。一方、低品質な放送である１セグ放送の階層では、ＨＤＴＶの階層に比べてより伝送的に強い伝送パラメータが用いられている。その結果、ＨＤＴＶより広い範囲で正常受信が可能であるが、セグメントあたりの情報量は少なくなっている。つまり、ＨＤＴＶ放送よりも、１セグ放送のほうが、広範囲で正常受信することが可能である。図６は、ＨＤＴＶと１セグ放送との受信エリアの関係を示す図である。図６においては、エリア１０１がＨＤＴＶが正常に受信可能な範囲を示す。また、エリア１０２は、１セグ放送が正常に受信可能な範囲を示している。
【０００６】
上記図６において、例えば、デジタル放送が受信できる車載型テレビを用いて利用者がエリア１０２で１セグ放送を受信しており、その後、エリア１０１に移動したとする。この場合、同一放送局のＨＤＴＶが受信可能であるため、自動的、あるいは利用者の手動操作で、高品質なＨＤＴＶに切り替えることが望ましい。また、これとは逆に、ＨＤＴＶ放送を視聴しながらエリア１０１からエリア１０２に移動し、その結果、ＨＤＴＶ放送の受信状態が悪くなったときは、安定して受信できるワンセグ放送に切り替わることが望ましい。この切替方法について、チャンネルの受信状態の良否を判定して自動的にＨＤＴＶと１セグ放送とを切り替える方法が提案されている（例えば、特許文献１）。
【特許文献１】特開２００４−３３６１９０号公報
【発明の開示】
【発明が解決しようとする課題】
【０００７】
しかしながら、上述したような上記特許文献１に開示された方法において、１セグ放送からＨＤＴＶに切替えようとする場合、以下に示す問題点がある。例えば、図７に示すように、同じ物理チャンネルを２つの放送局が使用しており、受信可能エリアが一部重複しているとする（エリア１０３、１０４）。このように、２つの放送局が同一の周波数で送信している場合、（１）混信により受信できないか、（２）復調可能な方の放送局を受信する、の何れかになる。そのため、何れの放送局の放送信号を受信したかは、当該信号を復調してみるまでわからない。この場合、上記特許文献１に示されるように、同一物理チャンネルの受信状況の良否だけをみて、１セグ放送からＨＤＴＶに切り替えると、放送局Ｂの１セグ放送から放送局ＡのＨＤＴＶに切り替わることがある。つまり、受信レベルの良否のみで１セグ放送からＨＤＴＶへの切り替えを行うと、別の番組に切り替わってしまうことになるという問題がある。
【０００８】
それ故に、本発明の目的は、同一チャンネルで複数の放送局と高品質放送と低品質放送が混在して受信できる状況下において、そのときの受信状況に応じて視聴中の番組と同一放送局の番組を受信するよう切り替えるデジタル放送受信装置を提供することである。
【課題を解決するための手段】
【０００９】
上記目的を達成するために、本発明は以下のような構成を採用した。
【００１０】
第１の発明は、１チャンネルの周波数帯域を分割してなる複数のセグメントのうち特定の数のセグメントに含まれ、同じ変調方式で伝送されてくる第１の放送波と、複数のセグメントのうち１つのセグメントに含まれ、第１の放送波と異なる変調方式で伝送されてくる第２の放送波とを受信可能なデジタル放送受信装置であって、切替部と、受信レベル判定部と、放送局判定部とを備える。切替部は、第１の放送波を復調して番組を再生する第１の再生モードと第２の放送波を復調して番組を再生する第２の再生モードとの間で再生モードを切り替える。受信レベル判定部は、放送波の受信状況の良否を示す受信レベルを判定する。放送局判定部は、受信した放送波に含まれる放送局情報を取得し、当該放送波を送信した放送局と直前に再生していた番組の放送局とが同一であるか否かを判定する。また、切替部は、放送局が同一であるときは、受信レベルに応じて再生モードを切り替える。
【００１１】
第２の発明は、第１の発明において、受信レベル判定部は、第２の再生モードで番組の再生が可能なときに受信レベルを判定する。また、切替部は、放送局判定部が放送局が同一であると判定したとき、受信レベルが所定値以上であり、且つ、直前に受信していた放送波の再生モードが第２の再生モードであるときにのみ、再生モードを第１の再生モードに切り替える。
【００１２】
第３の発明は、第１の発明において、放送局情報は、トランスポートストリームに含まれるトランスポートストリームＩＤである。
【００１３】
第４の発明は、第１の発明において、受信可能な放送局のそれぞれについて、第１の放送波の番組と第２の放送波の番組とが再生可能か否かの情報を有するチャンネルリストと、第２の放送波しか再生できない状態から、同一放送局の第１の放送波の再生も可能になったときに、チャンネルリストを更新する更新部とをさらに備える。
【００１４】
第５の発明は、第４の発明において、チャンネルリストが更新された際に、第１の放送波の再生が可能になった旨を利用者に通知する通知部を更に備える。
【発明の効果】
【００１５】
上記第１の発明によれば、同一チャンネルで複数の放送局の電波が混在しており、かつ第１の放送波と第２の放送波が同時に送信されている地域で、放送波の受信状況に変化があったとき、放送局が同一か否かを確認してから、同一放送局間の番組の再生モードを切り替える。そのため、同一物理チャンネルで放送局が異なる場合に、利用者の意図に反して、別放送局の番組に切り替わってしまうことを防ぐことができる。
【００１６】
上記第２の発明によれば、放送波の受信状況が良くなったとき、第１の放送波と第２の放送波との放送局の同一性を確認してから切り替えを行う。そのため、同一物理チャンネルで放送局が異なる場合、利用者の意図に反して、別放送局の番組に切り替わってしまうことを防ぐことができる。
【００１７】
上記第３の発明によれば、既存のデジタル放送のデータフォーマットを流用できるため、新たにデータフォーマット等を導入する必要がなくなり、効率的な処理を行うことができる。
【００１８】
上記第４乃至第５の発明によれば、第１の放送波の番組が再生可能になったことを利用者に通知することができる。これにより、受信装置の利便性を高めることができる。
【発明を実施するための最良の形態】
【００１９】
以下、本発明の実施の形態について、図面を参照して説明する。尚、この実施例により本発明が限定されるものではない。
【００２０】
まず、詳細を説明する前に、デジタル放送の受信の概要を説明する。一般に、デジタル放送システムを受信するためには、ＰＳＩ（ＰｒｏｇｒａｍＳｐｅｃｉｆｉｃ  Ｉｎｆｏｒｍａｔｉｏｎ）と呼ばれる番組特定情報を取得する必要がある。
【００２１】
例えば、地上デジタル放送では、ＰＳＩとしてＮＩＴ（Ｎｅｔｗｏｒｋ  Ｉｎｆｏｒｍａｔｉｏｎ  Ｔａｂｌｅ）と呼ばれるネットワーク情報テーブルを受信することで、その周波数にデジタル放送システムが伝送されていることを知る。さらに、ＮＩＴには、デジタル放送で放送されている各周波数で放送されているサービス番号（ＳＩＤ）が含まれている。
【００２２】
次にＰＳＩとしてＰＡＴ（Ｐｒｏｇｒａｍ  Ａｓｓｏｃｉａｔｉｏｎ  Ｔａｂｌｅ）と呼ばれるテーブルを受信し、実際にサービスが放送されているかどうかを確認する。
【００２３】
次に、ＰＳＩとしてＰＭＴ（Ｐｒｏｇｒａｍ  Ｍａｐ  Ｔａｂｌｅ）と呼ばれるテーブルを受信し、受信したいサービスに流れている映像や音声のＥＳ（Ｅｌｅｍｅｎｔａｒｙ  Ｓｔｒｅａｍ）のＰＩＤ（Ｐａｃｋｅｔ  Ｉｄｅｎｔｉｆｉｅｒ）を取得する。そして、そのＰＩＤを有するＥＳを取得し、ＡＶストリームをデコードして再生することでデジタル放送を視聴することが可能となる。
【００２４】
次に、本発明による実施形態を図面に基づいて説明する。図１は、本実施形態による地上波デジタル放送受信機（以下、受信装置と呼ぶ）の構成例を示すブロック図である。本実施形態における受信装置は、例えば、車載用ナビゲーション装置（以下、カーナビと呼ぶ）に１３セグメント受信機能、および１セグ放送受信機能を付加したナビシステムである。但し、本実施例では、カーナビにかかる構成は省略し、デジタル放送受信・再生に関する構成のみを説明する。
【００２５】
図１において受信装置１は、アンテナ２、チューナ３、ＯＦＤＭ復調部４、誤り訂正部５、デマルチプレクサ部６、オーディオデコーダ７、ビデオデコーダ８、データデコーダ９、制御部１０、記憶部１１および操作部１２を備えて構成されている。
【００２６】
チューナ３は、アンテナ２によって受信した地上波ディジタル放送の電波から、利用者に選局指示されたチャンネルに合致した受信周波数の放送信号を選択的に抽出して出力する。
【００２７】
ＯＦＤＭ復調部４は、チューナ３で受信した放送信号をＯＦＤＭ復調して、トランスポートストリーム（以下、ＴＳと呼ぶ）を得る。また、誤り訂正部５は、ＯＦＤＭ復調部４から入力したＴＳを誤り訂正する。また、デマルチプレクサ部６は、誤り訂正部５から入力された多重化されているＴＳを分離して音声ストリーム、映像ストリーム及びデータストリームを出力する。ここで、データストリームには、放送局毎に送出されるＮＩＴが含まれている。
【００２８】
オーディオデコーダ７は、デマルチプレクサ部６から入力した音声ストリームをデコードして音声データとして出力する。また、ビデオデコーダ８は、デマルチプレクサ部６から入力した映像ストリームをデコードして映像データとして出力する。ここで、一般に、１セグ放送の映像はＨ．２６４／ＡＶＣで符号化され、ＨＤＴＶはＭＰＥＧ−２で符号化されている。そのため、ビデオデコーダ８は、それぞれの形式に対応するデコード処理を切り替えることが可能となっている。
【００２９】
データデコーダ９は、デマルチプレクサ部６から入力したデータストリームをデコードして後述する制御部１０へ出力する。制御部１０では、データデコーダ９から当該データストリームを入力し、そのデータストリームに含まれるＮＩＴを取得する。また、これを用いて、後に図５を用いて説明する処理を行う。また、制御部１０は、チューナ３等の上記各構成部の制御も行う。
【００３０】
記憶部１１には、チャンネルリスト１１１および退避選局情報１１２が記憶される。記憶部１１は、例えば、ＮＶＲＡＭが該当する。操作部１２は、利用者の操作によるチャンネルの選局指示に対応して、選局指示信号を制御部１０に出力する。
【００３１】
次に、上述の図７を用いて、本実施形態に係る受信装置１の動作概要を説明する。ここでは、図７のエリア１０３で放送局Ｂの１セグ放送を受信・視聴しながら、エリア１０４に移動する場合を例とする。図７において、エリア１０４に入った後、利用者が任意のタイミングでテレビ視聴からカーナビ画面に切り替える。この切り変わったタイミングで、受信装置１は、現在の選局情報を退避選局情報１１２として退避し、スキャン（受信可能チャンネルの走査）を行う。そして、カーナビ画面に切り替える前まで視聴されていたチャンネルの受信レベルの確認、および、当該チャンネルのＮＩＴの取得を行う。次に、取得したＮＩＴのバージョンが更新されているかをチェックする。更新されていれば、受信レベルが所定値以上か否かをチェックする。そして、受信レベルが、所定値以上であれば、ＨＤＴＶが受信可能であるとし、取得したＮＩＴに含まれるＴＳＩＤを取得する。このＴＳＩＤは、放送局ごとに一意に付されているＩＤである。次に、当該ＴＳＩＤが、退避選局情報１１２に含まれるＴＳＩＤと一致するかをチェックする。そして、ＴＳＩＤが一致していれば、ＨＤＴＶへの切替処理を行い、不一致であれば、退避選局情報１１２に基づいて再選局して、カーナビ画面に切り替える前まで視聴されていた番組の視聴を継続できるようにする。
【００３２】
次に、本実施形態で用いられる各種データについて説明する。図２はチャンネルリスト１１１のデータ構造の一例を示した図である。チャンネルリスト１１１は、チャンネル情報１１１１と高品質放送情報１１１２と低品質放送情報１１１３の集合から成る。チャンネル情報１１１１は、その地域で受信できる放送局の物理チャンネルを示す。高品質放送情報１１１２は、ＨＤＴＶが正常に受信して視聴できるか否かを示すための情報である。また、低品質放送情報１１１３は、１セグ放送が正常に受信して視聴できるか否かを示すための情報である。例えば、図７のエリア１０２のように１セグ放送は正常に視聴できるが、ＨＤＴＶは正常に視聴できないエリアでは、高品質放送情報１１１２は「視聴不可」、低品質放送情報１１１３は「視聴可」と設定されることになる。
【００３３】
次に、本実施形態で用いられるＮＩＴについて説明する。図３は、本実施形態におけるＮＩＴの構造を示す図である。図３において、ＮＩＴ２０には、少なくとも、バージョン番号２１、ＴＳＩＤ２２、ＳＩＤ２３が含まれる。なお、これら以外にも周波数情報等の情報がＮＩＴ２０には含まれるが、本発明の内容には直接関係しないため、その説明は省略する。バージョン番号２１は、原則として、ＮＩＴ２０の内容が更新されたときに更新される番号である。具体的には、５ビットのデータで、ＮＩＴの内容が更新されると「１」インクリメントされる。また、この番号は、「３１」の次は「０」に戻る。ＴＳＩＤ２２は、各放送局から送信されてくるＴＳの識別子であり、放送局ごとに一意なＩＤが割り振られている。ＳＩＤ２３は、ＴＳに多重されるサービス（番組）を識別するためのＩＤであり、１セグ放送を示すＳＩＤ２３１（以下、１セグ用ＳＩＤと呼ぶ）と、ＨＤＴＶを示すＳＩＤ２３２（以下、ＨＤＴＶ用ＳＩＤと呼ぶ）が含まれている。このＳＩＤから、ＰＭＴのＰＩＤを算出し、１セグ放送を構成するＥＳ、あるいは、ＨＤＴＶを構成するＥＳのＰＩＤを取得することが可能となる。なお、ＮＩＴ２０は、ＨＤＴＶと１セグ放送とで共通して使用される。
【００３４】
次に、退避選局情報１１２について説明する。図４は退避選局情報のデータ構造の一例を示した図である。退避選局情報１１２は、退避チャンネル情報１１２１と、退避周波数１１２２と、退避ＮＩＴバージョン１１２３と、退避ＴＳＩＤ１１２４と、ガードインターバル値１１２５と、退避受信レベル１１２６と、伝送モード値１１２７とから構成される。退避チャンネル情報１１２１は、視聴していた番組の物理チャンネルを示す。退避周波数１１２２は、当該物理チャンネルの周波数を示す。退避ＮＩＴバージョン１１２３は、視聴していた番組を受信したときのＮＩＴのバージョンを示す。退避ＴＳＩＤ１１２４は、視聴していた番組を受信したときのＮＩＴに含まれていたＴＳＩＤである。すなわち、視聴していた番組を提供している放送局を示すものである。ガードインターバル値１１２５は、符号間の干渉の影響を少なくするために挿入される一定の時間間隔（ガードインターバル）の値である。退避受信レベル１１２６は、視聴していた番組を受信していたときのＣ／Ｎ比の値である。伝送モード値１１２７は、ＯＦＤＭ方式の伝送パラメータの一つである伝送モードの値である。伝送モードには、モード１〜モード３があり、それぞれ帯域幅、キャリア間隔、キャリア本数が異なる。
【００３５】
以下、受信装置１が行う切り替え処理の詳細動作を、図５のフローチャートを用いて説明する。図５に示すフローの処理は、利用者がテレビからカーナビの画面に切り替えたタイミング（すなわち、チューナ３が一時的に開放されるタイミング）で開始される。
【００３６】
まず、制御部１０は、カーナビ画面に切り替えられる前まで視聴していた番組の選局情報を退避選局情報１１２として、記憶部１１に格納する（ステップＳ１）。
【００３７】
次に、制御部１０は、スキャン処理を行い、ＮＩＴ２０を取得する（ステップＳ２）。具体的には、チューナ３やＯＦＤＭ復調部４等に放送信号の受信およびＴＳの復調を行わせ、当該ＴＳからＮＩＴ２０を取得する。このとき、チューナ３から得られる当該チャンネルのＣ／Ｎ比の情報も併せて取得する。
【００３８】
次に、取得したＮＩＴ２０のバージョン番号を、退避選局情報１１２に格納されている退避ＮＩＴバージョン１１２３と比べ、ＮＩＴ２０のバージョンが更新されているか否かを判定する（ステップＳ３）。その結果、ＮＩＴ２０のバージョンが更新されていれば（ステップＳ３でＹＥＳ）、次に、ステップＳ２で取得したＣ／Ｎ比が所定値以上であるか否かの判定を行う（ステップＳ４）。一方、ＮＩＴ２０が更新されてなければ（ステップＳ３でＮＯ）、退避選局情報１１２に基づいて、再選局動作を行う（ステップＳ１０）。より具体的には、例えば、図２のエリア２０２において放送局Ａの電波を受信〜復調したとしても、退避選局情報１１２の退避ＴＳＩＤ１１２４やガードインターバル値１１２５や伝送モード値１１２７等と照らし合わせ、異なる放送局のものであれば、それを無視し、放送局Ｂの電波が受信〜復調されてくるのを待つというような制御が行われる。その結果、カーナビ画面からテレビ画面に戻したとき、カーナビ画面に切り替える前まで視聴していた１セグ放送の番組を継続して視聴することができる。
【００３９】
ステップＳ４の判定の結果、Ｃ／Ｎ比が所定値以上でないときは（ステップＳ４でＮＯ）、退避選局情報１１２に基づいて、１セグ放送を再選局する（ステップＳ１０）。一方、Ｃ／Ｎ比が所定値以上であれば（ステップＳ４でＹＥＳ）、取得したＮＩＴ２０に含まれるＴＳＩＤ２２が、退避選局情報１１２の退避ＴＳＩＤ１１２４、すなわち、カーナビ画面に切り替えるまで視聴していた１セグ放送のＴＳＩＤと一致するかを判定する（ステップＳ５）。
【００４０】
ステップＳ５の判定の結果、ＴＳＩＤが不一致であれば（ステップＳ５でＮＯ）、受信可能なＨＤＴＶは別の放送局の放送である。そのため、これを提示せずに、退避選局情報１１２を用いて再選局し、先ほどまで視聴していた１セグ放送の番組の視聴を継続する。一方、ＴＳＩＤが一致すれば、受信可能なＨＤＴＶは１セグ放送と同じ放送局の放送であるため、続く処理でＨＤＴＶへの切り替え処理を行う。まず、制御部１０は、チャンネルリスト１１１を更新する（ステップＳ６）。このステップＳ６の処理をより具体的に説明すると、退避選局情報１１２の退避チャンネル情報１１２１に示されているチャンネルの高品質放送情報１１１２を、「視聴不可」から「視聴可能」へ書き換える。
【００４１】
次に、ＨＤＴＶへ切り替え可能な旨の表示、および、切り替えるか否かの問い合わせ画面を表示する（ステップＳ７）。これは、利用者が必ずしも常に切り替えを望むとは限らないので、切り替えを利用者の意思に任せるためである。また、当該画面が表示されるタイミングは、カーナビ画面からテレビ画面に切り替えたときに表示されることが望ましい。続いて、問い合わせの結果を判定し（ステップＳ８）、その結果、ＨＤＴＶへの切替が選択されていれば（ステップＳ８でＹＥＳ）、ＨＤＴＶの番組提示へ切り替える（ステップＳ９）。具体的には、ＮＩＴ２０のＨＤＴＶ用ＳＩＤ２３２からＨＤＴＶのＰＭＴのＰＩＤを算出し、当該ＰＭＴからＥＳのＰＩＤを取得する。そして、ＨＤＴＶを構成するＥＳをＴＳから取得して、ＡＶストリームのデコードを行う。このとき、ビデオデコーダ８が行うデコード処理について、１セグ放送用のデコード処理（Ｈ２６４／ＡＶＣ形式のデコード処理）から、ＨＤＴＶ用のデコード処理（ＭＰＥＧ−２形式のデコード処理）に切り替える。これにより、カーナビ切り替え前まで視聴していた番組をＨＤＴＶで提示することが可能となる。一方、ＨＤＴＶへの切替が選択されていなければ（ステップＳ８でＮＯ）、退避選局情報１１２に基づいて、１セグ放送を再選局する（ステップＳ１０）。以上で、本実施形態に係る切り替え処理は終了する。
【００４２】
このように、本実施形態では、受信状況が良くなった後、放送局が同一か否かを確認してから１セグ放送→ＨＤＴＶへの切り替え処理を行う。そのため、同一物理チャンネルで放送局が異なる場合でも、利用者の意図に反して、別放送局の番組に切り替わってしまうことを防ぐことができる。また、チャンネルリストに、ＨＤＴＶと１セグ放送との視聴の可否についての情報を保持させているため、上述したような問い合わせ画面を出したときには利用者がＨＤＴＶの視聴を選択しなかったときであっても、その後、利用者の意思で、チャンネルリストに基づいてＨＤＴＶの視聴を選択することが可能となる。
【００４３】
なお、上述の実施形態では、受信装置１にはチューナが１つだけしかなかったが、これに限らず、チューナを２つ搭載するようにしても良い。そして、一方のチューナで受信〜再生状態を維持しながら、他方のチューナを用いて上述の図５で示した処理を定期的に行うようにしても良い。これにより、上述の実施形態のように利用者がカーナビ画面等に切り替えるまで待たずとも、１セグ放送を提示しながらＨＤＴＶへの切り替えの可否を判定できる。そのため、より適切なタイミングでＨＤＴＶの提示を可能とすることができ、受信装置の利便性を高めることができる。
【００４４】
また、受信レベルの判定についても、Ｃ／Ｎ比だけに限らず、受信装置１端における受信電圧／電界強度、あるいは受信波の復調後に得られるビット誤り率やパケット誤り率の指標を用いるようにしてもよい。これにより、更に的確な受信レベルの判定が可能となる。
【００４５】
また、放送の切り替えについても、１セグ放送→ＨＤＴＶへの切り替えだけでなく、ＨＤＴＶ→１セグ放送に切り替えるようにしてもよい。つまり、受信レベルを判定し、ＨＤＴＶの受信状態が悪くなったと判定されたときは、同一放送局の１セグ放送に切り替えるようにしてもよい。これにより、同一物理チャンネルで放送局が異なる場合でも、利用者の意図に反して別放送局の番組に切り替わってしまうことを防ぐことができる。
【００４６】
また、例えば、受信装置が電源オフになっていたとき等、長期間ＮＩＴが取得されなかった状態から復帰した場合は、上述のようにＮＩＴのバージョンを確認した結果、そのバージョンが変わっていたときに、退避選局情報に基づいて選局を行うようにしても良い。つまり、ＮＩＴを所定時間以上取得していなかったときで、且つ、新たに取得したＮＩＴのバージョンが更新されているときは、前に視聴していた番組を選局するようにしてもよい。
【産業上の利用可能性】
【００４７】
本発明にかかるデジタル放送受信装置は、受信場所が変化した結果、異なる放送局の放送が受信可能な場合に、利用者の意図に反して他の放送局の番組へ切り替わることを防ぐことができ、携帯型のテレビや車載テレビ等に有用である。
【図面の簡単な説明】
【００４８】
【図１】本発明の実施形態に係る受信装置を示す機能ブロック図
【図２】チャンネルリスト１１１のデータ構造の一例を示した図
【図３】ＮＩＴのデータ構造の一例を示した図
【図４】退避選局情報１１２のデータ構造の一例を示した図
【図５】本発明の実施形態に係る切り替え処理を示すフローチャート
【図６】ＨＤＴＶと１セグ放送との受信エリアの関係を示す図
【図７】２つの放送局とＨＤＴＶと１セグ放送との受信エリアの関係を示す図
【符号の説明】
【００４９】
１    受信装置
２    アンテナ
３    チュ−ナ
４    ＯＦＤＭ復調部
５    誤り訂正部
６    デマルチプレクサ部
７    オーディオデコーダ
８    ビデオデコーダ
９    データデコーダ
１０    制御部
１１    記憶部
１２    操作部
１１１    チャンネルリスト
１１２    退避選局情報
【図１】
2007243695.tif 000003
【図２】
2007243695.tif 000004
【図３】
2007243695.tif 000005
【図４】
2007243695.tif 000006
【図５】
2007243695.tif 000007
【図６】
2007243695.tif 000008
【図７】
2007243695.tif 000009